(57)【特許請求の範囲】
【請求項１】
外部から情報の入力を受け付ける情報受付部を有し、前記情報受付部にて受け付けた情報に基づいて、少なくとも１つのカラオケ楽曲を指定する１台のリモコン端末と、前記リモコン端末にて指定されたカラオケ楽曲を演奏する楽曲演奏部を有した１台のカラオケ装置本体とを備え、前記カラオケ装置本体と前記リモコン端末との間でデータ通信可能に構成されたカラオケシステムであって、
前記リモコン端末は、
当該リモコン端末の利用者を識別する利用者識別情報を取得し、前記取得した利用者識別情報と、前記情報受付部にて受け付けた情報に基づいて指定された少なくとも１つのカラオケ楽曲を識別する情報である楽曲情報とを、対応付けて前記カラオケ装置本体に送信する楽曲情報送信手段と
を備え、
前記カラオケ装置本体は、
少なくとも一部がタッチパネルによって構成され、外部から情報の入力を受け付ける操作受付部と、
前記楽曲情報送信手段で送信され、前記利用者識別情報と対応付けられた前記楽曲情報を取得し、該楽曲情報によって表される各カラオケ楽曲の予約を受け付ける予約受付手段と、
前記予約受付手段で予約を受け付けたカラオケ楽曲である予約カラオケ楽曲を前記楽曲演奏部にて演奏している期間に、前記操作受付部のタッチパネルを介して外部からの指令を受け付けると、登録指令を受け付けるための登録ボタンを、前記操作受付部のタッチパネルに表示し、前記操作受付部のタッチパネルを介して前記登録指令を受け付けると、当該予約カラオケ楽曲に対応する楽曲情報を、当該利用者識別情報と対応付けて記憶部に記憶することを、十八番登録として実行する十八番登録手段と
を備えることを特徴とするカラオケシステム。
【請求項２】
前記十八番登録手段は、
前記楽曲演奏部での前記予約カラオケ楽曲の演奏が終了したときに設定されているキー情報を取得するキー情報取得手段を備え、
前記楽曲情報と前記利用者識別情報とに加えて、前記キー情報取得手段で取得したキー情報を対応付けて前記記憶部に記憶することを、前記十八番登録として実行する
ことを特徴とする請求項１に記載のカラオケシステム。
【請求項３】
前記リモコン端末は、
少なくとも、前記利用者識別情報を含む特定要求を前記カラオケ装置本体に送信する要求送信手段を備え、
前記カラオケ装置本体は、
前記要求送信手段にて送信された特定要求を取得すると、当該特定要求に含まれる前記利用者識別情報に対応し、かつ前記十八番登録が実行されることで前記記憶部に記憶された楽曲情報を少なくとも含む十八番情報を、前記リモコン端末に送信する十八番情報送信手段を備え、
前記リモコン端末は、さらに、
前記十八番情報送信手段にて送信された十八番情報を報知する十八番報知手段
を備えることを特徴とする請求項１または請求項２に記載のカラオケシステム。
【請求項４】
前記十八番情報送信手段は、
前記利用者識別情報を取得すると、該利用者識別情報と対応付けられ、かつ前記十八番登録手段によって前記記憶部に新たに記憶された楽曲情報の有無を確認する新規登録確認手段と、
前記新規登録確認手段で確認した結果を、前記十八番情報として送信する結果送信手段と
を備え、
前記要求送信手段は、
前記情報受付部を介して受け付けた情報に基づいて、当該リモコン端末の利用者が変更されたことを検知すると、その変更された利用者に対応する前記利用者識別情報を前記特定要求として送信する識別情報送信手段
を備えることを特徴とする請求項３に記載のカラオケシステム。
【請求項５】
外部から入力された情報に基づいて、少なくとも１つのカラオケ楽曲を指定する１台のリモコン端末との間でデータ通信可能に構成され、前記リモコン端末にて指定されたカラオケ楽曲を演奏する楽曲演奏部を有したカラオケ装置であって、
少なくとも一部がタッチパネルによって構成され、外部から情報の入力を受け付ける操作受付部と、
前記リモコン端末を介して入力され、該リモコン端末の利用者を識別する利用者識別情報と対応付けられ、少なくとも１つのカラオケ楽曲を識別する情報である楽曲情報を、前記リモコン端末から取得する情報取得手段と、
前記情報取得手段にて取得した前記利用者識別情報と対応付けられた前記楽曲情報に基づいて、該楽曲情報によって表される各カラオケ楽曲の予約を受け付ける予約受付手段と、
前記予約受付手段で予約を受け付けたカラオケ楽曲である予約カラオケ楽曲を前記楽曲演奏部にて演奏している期間に、前記操作受付部のタッチパネルを介して外部からの指令を受け付けると、登録指令を受け付けるための登録ボタンを、前記操作受付部のタッチパネルに表示し、前記操作受付部のタッチパネルを介して前記登録指令を受け付けると、当該予約カラオケ楽曲に対応する楽曲情報を、当該利用者識別情報と対応付けて記憶部に記憶することを、十八番登録として実行する十八番登録手段と
を備えることを特徴とするカラオケ装置。
【発明の詳細な説明】
【技術分野】
【０００１】
本発明は、選曲された楽曲を十八番登録するカラオケシステム，及びカラオケ装置に関する。
【背景技術】
【０００２】
従来、カラオケ楽曲を指定するリモコン端末と、リモコン端末にて指定されたカラオケ楽曲を演奏するカラオケ装置本体とを備え、リモコン端末とカラオケ装置本体との間でデータ通信可能に構成されたカラオケシステムが知られている（例えば、特許文献１参照）。
【０００３】
この種のカラオケシステムでは、特定のカラオケ楽曲を検索（以下、楽曲検索とも称す）する検索機能や、その検索したカラオケ楽曲をカラオケ装置本体にて演奏する楽曲として予約（指定）（以下、楽曲予約とも称す）する予約機能、利用者が得意とするカラオケ楽曲をカラオケ装置本体に登録（以下、十八番登録とも称す）する十八番登録機能が実現されている。なお、カラオケシステムにおいて、これら楽曲検索、楽曲予約、十八番登録は、それぞれ、リモコン端末を介して情報が入力されたことをトリガーとして実行される。
【先行技術文献】
【特許文献】
【０００４】
【特許文献１】特開２００７−１５５７７０号公報
【発明の概要】
【発明が解決しようとする課題】
【０００５】
このようなカラオケシステムが設置される環境の１つとして、アルコール飲料の提供と共に従業員が接客するスナックバー等のナイト市場（酒場市場）がある。このナイト市場に設置されるカラオケシステムにおいても、上記十八番登録は利用されている。
【０００６】
ところで、ナイト市場に設置されるカラオケシステムは、設置店舗の面積（広さ）や、設置店舗において接客する従業員数などの関係から、一台のカラオケ装置本体と一台のリモコン端末とによって構成されることが多い。このように構成されたカラオケシステムでは、一台のリモコン端末を複数の利用者が共有して使う必要があり、リモコン端末は、カラオケ楽曲が歌唱されている期間中には、当該カラオケ楽曲を歌唱中の利用者以外の、他の利用者によって使用される可能性が高い。
【０００７】
このため、歌唱中の利用者が当該歌唱中のカラオケ楽曲について十八番登録を望んだとしても、リモコン端末を介して情報（トリガー）を入力することができず、十八番登録をすみやかに実施できないという課題が生じる。
【０００８】
換言すれば、従来のカラオケシステムでは、適切なタイミングで十八番登録を実施できず、十八番登録すべきカラオケ楽曲について十八番登録が未実施のままとなってしまう可能性があるという問題があった。
【０００９】
そこで、本発明は、カラオケシステムにおいて、適切なタイミングで十八番登録を可能とすることを目的とする。
【課題を解決するための手段】
【００１０】
上記目的を達成するためになされた本発明は、１台のリモコン端末と、１台のカラオケ装置本体とを備え、カラオケ装置本体とリモコン端末との間でデータ通信可能に構成されたカラオケシステムに関する。
【００１１】
本発明のカラオケシステムにおける１台のリモコン端末は、外部から情報の入力を受け付ける情報受付部を有し、情報受付部にて受け付けた情報に基づいて、少なくとも１つのカラオケ楽曲を指定する。
【００１２】
そして、本発明のカラオケシステムでは、楽曲情報送信手段が、当該リモコン端末の利用者を識別する利用者識別情報を取得し、取得した利用者識別情報と、情報受付部にて受け付けた情報に基づいて指定された少なくとも１つのカラオケ楽曲を識別する情報である楽曲情報とを、対応付けてカラオケ装置本体に送信する。
【００１３】
一方、本発明のカラオケシステムにおける１台のカラオケ装置本体は、リモコン端末にて指定されたカラオケ楽曲を演奏する楽曲演奏部を有している。
そのカラオケ装置本体では、少なくとも一部がタッチパネルによって構成された操作受付部が、外部から情報の入力を受け付け、予約受付手段が、楽曲情報送信手段で送信された利用者識別情報及び楽曲情報を取得し、該楽曲情報によって表される各カラオケ楽曲の予約を受け付ける。さらに、十八番登録手段が、予約受付手段で予約を受け付けたカラオケ楽曲である予約カラオケ楽曲を楽曲演奏部にて演奏している期間に、操作受付部のタッチパネルを介して外部からの指令を受け付けると、登録指令を受け付けるための登録ボタンを、操作受付部のタッチパネルに表示する。そして、十八番登録手段は、操作受付部のタッチパネルを介して登録指令を受け付けると、当該予約カラオケ楽曲に対応する楽曲情報を、当該利用者識別情報と対応付けて記憶部に記憶することを、十八番登録として実行する。
【００１４】
すなわち、本発明のカラオケシステムによれば、１つのカラオケシステムを複数人で利用し、歌唱中の利用者以外の利用者によってリモコン端末が使用されていても、カラオケ装置本体の操作受付部を介して登録指令を入力することで十八番登録を実行できる。
【００１５】
換言すれば、本発明のカラオケシステムによれば、カラオケ楽曲の演奏中（ひいては、カラオケ楽曲の歌唱中）であっても、必要なタイミングで十八番登録を実行でき、十八番登録すべきカラオケ楽曲について十八番登録を未実施のまま放置されることを低減できる。
【００１６】
特に、本発明のカラオケシステムをナイト市場に設置し、設置店舗の従業員が登録指令を入力すれば、歌唱中の利用者に手間をかけさせることなく十八番登録を実現できる。
また、本発明のカラオケシステムにおける十八番登録手段では、キー情報取得手段が、楽曲演奏部での予約カラオケ楽曲の演奏が終了したときに設定されているキー情報を取得し、十八番登録手段は、楽曲情報と利用者識別情報とに加えて、キー情報取得手段で取得したキー情報を対応付けて記憶部に記憶することを、十八番登録として実行しても良い（請求項２）。
【００１７】
このようなカラオケシステムによれば、楽曲情報と利用者識別情報とに、キー情報を加えた情報を、十八番登録によって記憶部に記憶することができる。ただし、ここでいうキー情報とは、楽曲演奏部にてカラオケ楽曲を演奏するときのキー（音高）を表す情報である。
【００１８】
そして、十八番登録されたカラオケ楽曲を楽曲演奏部にて演奏するときに、そのカラオケ楽曲と対応付けられたキー情報に基づいて演奏時のキーを設定するように、本発明のカラオケシステムを構成すれば、カラオケシステムの利用者は、十八番登録したカラオケ楽曲を次に歌唱するときに、歌唱しやすいキーへと設定し直す必要がない。このようなカラオケシステムによれば、カラオケシステムの利用者にとっての利便性を向上させることができる。
【００１９】
特に、カラオケ楽曲の演奏が終了したときに設定されているキーは、当該カラオケ楽曲を歌唱した利用者にとって歌唱しやすいキーに設定されている可能性が高い。よって、本発明のカラオケシステムによれば、カラオケシステムの利用者にとってより確実に歌唱しやすいキーを、楽曲情報などと共に記憶することができる。
【００２０】
さらに、本発明のカラオケシステムにおけるリモコン端末では、要求送信手段が、利用者識別情報を含む特定要求をカラオケ装置本体に送信しても良い。この場合、カラオケ装置本体では、要求送信手段にて送信された特定要求を取得すると、十八番情報送信手段が、当該特定要求に含まれる利用者識別情報に対応し、かつ十八番登録が実行されることで記憶部に記憶された楽曲情報を少なくとも含む十八番情報を、リモコン端末に送信する。このとき、リモコン端末では、さらに、十八番報知手段が、十八番情報送信手段にて送信された十八番情報を報知しても良い（請求項３）。
【００２１】
このようなカラオケシステムによれば、カラオケ装置本体では、リモコン端末からの特定要求に応じて、利用者識別情報に対応する十八番情報をリモコン端末に返答することができる。そして、その十八番情報をリモコン端末が報知するため、当該カラオケシステムの利用者は、その利用者自身に対して十八番登録されたカラオケ楽曲を認識できる。
【００２２】
そして、本発明のカラオケシステムにおいて、カラオケ装置本体の十八番情報送信手段では、利用者識別情報を取得すると、新規登録確認手段が、該利用者識別情報と対応付けられ、かつ十八番登録手段によって記憶部に新たに記憶された楽曲情報の有無を確認し、結果送信手段が、新規登録確認手段で確認した結果を、十八番情報として送信しても良い。このとき、リモコン端末の要求送信手段では、識別情報送信手段が、情報受付部を介して受け付けた情報に基づいて、当該リモコン端末の利用者が変更されたことを検知すると、その変更された利用者に対応する利用者識別情報を特定要求として送信しても良い（請求項４）。
【００２３】
このようなカラオケシステムでは、リモコン端末の利用者が変更されるごとに、リモコン端末の利用者に対して、新たに十八番登録されたカラオケ楽曲の有無を報知する。この結果、リモコン端末の利用者は、新たに十八番登録されたカラオケ楽曲の有無を確認できる。
【００２４】
ここで報知される確認結果とは、“新たに十八番登録されたカラオケ楽曲が存在すること”であっても良い。この場合、リモコン端末の利用者と対応付けて新たに十八番登録されたカラオケ楽曲が存在しなければ、報知しなくとも良い。
【００２５】
ところで、本発明は、外部から入力された情報に基づいて、少なくとも１つのカラオケ楽曲を指定する１台のリモコン端末との間でデータ通信可能に構成され、そのリモコン端末にて指定されたカラオケ楽曲を演奏する楽曲演奏部を有したカラオケ装置としてなされていても良い。
【００２６】
本発明が、カラオケ装置としてなされている場合、そのカラオケ装置では、少なくとも一部がタッチパネルによって構成された操作受付部が、外部から情報の入力を受け付け、情報取得手段が、リモコン端末を介して入力され、該リモコン端末の利用者を識別する利用者識別情報と対応付けられ、少なくとも１つのカラオケ楽曲を識別する情報である楽曲情報を、リモコン端末から取得する。そして、予約受付手段が、情報取得手段にて取得した利用者識別情報と対応付けられた楽曲情報に基づいて、該楽曲情報によって表される各カラオケ楽曲の予約を受け付ける。さらに、十八番登録手段が、予約受付手段で予約を受け付けたカラオケ楽曲である予約カラオケ楽曲を楽曲演奏部にて演奏している期間に、操作受付部のタッチパネルを介して外部からの指令を受け付けると、登録指令を受け付けるための登録ボタンを、操作受付部のタッチパネルに表示する。そして、十八番登録手段は、操作受付部のタッチパネルを介して登録指令を受け付けると、当該予約カラオケ楽曲に対応する楽曲情報を、当該利用者識別情報と対応付けて記憶部に記憶することを、十八番登録として実行する。
【００２７】
このようなカラオケ装置であれば、請求項１に記載のカラオケシステムと同様の効果を得ることができる。
【図面の簡単な説明】
【００２８】
【図１】本発明が適用されたカラオケシステムの構成を示すブロック図である。
【図２】カラオケシステムにて実行する処理の処理手順を示すフローチャートである。
【図３】リモコン端末にて表示されるゲストユーザ画面を示した図である。
【図４】リモコン端末とカラオケコマンダとの間で通信する各種情報を示した図である。
【図５】十八番登録準備処理の処理手順を示すフローチャートである。
【図６】カラオケコマンダにて表示する情報を例示した図である。
【図７】カラオケコマンダに記憶する各種情報を例示した図である。
【図８】十八番登録処理の処理手順を示すフローチャートである。
【図９】カラオケシステムにて実行する処理の処理手順を示すフローチャートである。
【図１０】リモコン端末に表示される画面を例示する図である。
【発明を実施するための形態】
【００２９】
以下に本発明の実施形態を図面と共に説明する。
〈カラオケシステム全体の構成〉
図１は、本発明が適用されたカラオケシステムの概略構成を示すブロック図である。
【００３０】
このカラオケシステム１は、カラオケ楽曲毎に予め用意された楽曲データの中から、指定されたカラオケ楽曲に対応する楽曲データを抽出し、その抽出した楽曲データに基づいてカラオケ演奏するシステムである。
【００３１】
具体的には、カラオケシステム１は、指定されたカラオケ楽曲を演奏する一台のカラオケコマンダ２０と、カラオケコマンダ２０にて演奏するカラオケ楽曲を指定する一台のリモコン端末５０とを備え、リモコン端末５０とカラオケコマンダ２０との間でデータ通信を実行可能に構成されている。
【００３２】
本実施形態のカラオケシステム１は、アルコール飲料の提供と共に従業員が接客するスナックバー等のナイト市場（酒場市場）に設置される。
〈楽曲データについて〉
なお、本実施形態における楽曲データは、例えば、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）フォーマットにて記述された周知のカラオケ用データ、ユーザが歌唱すべき旋律（以下、歌唱旋律とする）に関するガイドメロディ用データ、歌詞テロップデータなどが含まれている。
【００３３】
そして、楽曲情報には、カラオケ楽曲毎に割り当てられた識別番号である楽曲識別番号と、カラオケ楽曲の曲名を示す曲名データとが含まれている。
〈カラオケコマンダについて〉
次に、カラオケコマンダ２０について説明する。
【００３４】
このカラオケコマンダ２０は、情報を入力する入力部２１と、入力部２１にて入力された情報を受け付ける操作受付部２２と、リモコン端末５０との間でデータ通信を実行する通信部２３と、少なくとも楽曲データが記憶される記憶部２９と、カラオケコマンダ２０を構成する各部を制御する制御部３５とを備えている。さらに、カラオケコマンダ２０は、画像を出力する画像出力部２４と、音を入出力する音声入出力部３０とを備えている。
【００３５】
このうち、音声入出力部３０は、記憶部２９に記憶された楽曲データから当該楽曲のオーディオ信号を生成する音源モジュール（いわゆるＭＩＤＩ音源）３１と、音源モジュール３１にて生成されたオーディオ信号に従った音をスピーカ３２から出力すると共に、マイクロホン３３を介して入力された音声（アナログ信号を）をサンプリングしてデジタル信号に変換する音声制御部３４とを備えている。
【００３６】
また、画像出力部２４は、画像を一時的に格納するビデオＲＡＭ２５と、画像の再生（ここでは、映像）を制御する映像再生部２６と、ビデオＲＡＭ２５に格納された画像及び映像再生部２６により再生される画像（即ち、映像）の出力を制御する映像制御部２７と、映像制御部２７によって出力された画像が表示される表示部２８とを備えている。
【００３７】
なお、本実施形態における入力部２１、及び操作受付部２２は、周知のタッチパネルによって構成されている。つまり、入力部２１は、カラオケコマンダ２０の本体に組込まれた表示パネル２１ａからなり、操作受付部２２は、表示パネル２１ａの表示面上及び表示面の下層に設置された位置入力装置（図示せず）からなる。
【００３８】
記憶部２９は、情報を記憶する記憶装置（例えば、ハードディスクドライブやフラッシュメモリなど）によって構成されており、記憶部２９には、複数の楽曲データが記憶されている。
【００３９】
制御部３５は、電源が切断されても記憶内容を保持する必要のあるプログラムやデータを格納するＲＯＭ３６と、プログラムやデータを一時的に格納するＲＡＭ３７と、ＲＯＭ３６やＲＡＭ３７に記憶されたプログラムやデータに従って、カラオケコマンダ２０を構成する各部２２，２３，２４，２９，３０に対する制御及び各種演算を実行するＣＰＵ３８とを少なくとも有した周知のマイクロコンピュータを中心に構成されている。
【００４０】
ＲＯＭ３６には、指定されたカラオケ楽曲を再生演奏すると共に、表示部２８に歌詞を表示する周知のカラオケ演奏処理を実行するためのカラオケ演奏処理プログラムが記憶されている。さらに、ＲＯＭ３６には、カラオケシステム１の利用者が指定したカラオケ楽曲に関する情報を登録（以下、十八番登録と称す）する登録処理を実行するためのプログラムや、カラオケシステム１の利用者自身に関する情報を登録（以下、ユーザ登録と称す）する記憶処理を実行するためのプログラムなどが記憶されている。
〈リモコン端末について〉
次に、リモコン端末５０について説明する。
【００４１】
このリモコン端末５０は、情報を入力する入力部５１と、入力部５１にて入力された情報を受け付ける操作受付部５２と、カラオケコマンダ２０との間でデータ通信を実行する通信部５３と、カラオケコマンダ２０から受信したデータが記憶される記憶部５９と、画像を出力する画像出力部５４と、リモコン端末５０を構成する各部を制御する制御部６０とを備えている。
【００４２】
このうち、画像出力部５４は、画像を一時的に格納するビデオＲＡＭ５５と、画像の再生（ここでは、映像）を制御する映像再生部５６と、ビデオＲＡＭ５５に格納された画像及び映像再生部５６により再生される画像（即ち、映像）が表示される表示部５７とを備えている。
【００４３】
本実施形態における入力部５１、及び操作受付部５２は、周知のタッチパネルによって構成されている。つまり、入力部５１は、リモコン端末５０に設けられた表示パネル（図示せず）からなり、操作受付部５２は、表示パネルの表示面上及び表示面の下層に設置された位置入力装置からなる。このリモコン端末５０における表示パネルは、画像出力部５４の表示部５７と共通であっても良いし、画像出力部５４の表示部５７とは別体であっても良い。ただし、入力部５１及び操作受付部５２の構造は、タッチパネルに限るものではなく、機械的な操作機構を入力部５１とし、その操作機構に対する操作を検知するスイッチ（またはセンサ）を操作受付部５２とした構造であっても良いし、タッチパネルに加えて、機械的な操作機構及びその操作機構に対する操作を検知するスイッチを備えていても良い。なお、本実施形態における入力部５１及び操作受付部５２が、特許請求の範囲における情報受付部として機能する。
【００４４】
記憶部５９は、情報を記憶する記憶装置（例えば、ハードディスクドライブやフラッシュメモリなど）によって構成されている。
制御部６０は、電源が切断されても記憶内容を保持する必要のあるプログラムやデータを格納するＲＯＭ６１と、プログラムやデータを一時的に格納するＲＡＭ６２と、ＲＯＭ６１やＲＡＭ６２に記憶されたプログラムやデータに従って、リモコン端末５０を構成する各部５２，５３，５４，５７に対する制御及び各種演算を実行するＣＰＵ６３とを少なくとも有した周知のマイクロコンピュータを中心に構成されている。
【００４５】
なお、ＲＯＭ６１には、制御部６０が各種処理（例えば、登録処理や記憶処理）を実行するための処理プログラムが格納されている。
〈カラオケシステムにて実行する処理について〉
次に、カラオケシステムにて実行する処理について説明する。
【００４６】
ここで、図２は、カラオケシステムにて実行する処理のうち、十八番登録を実行する登録処理の処理手順を示したフローチャートである。
図２に示すように、登録処理は、リモコン端末５０の制御部６０とカラオケコマンダ２０の制御部３５とが協調して実行する処理である。この登録処理は、リモコン端末５０の制御部６０にて実行されるリモコン側処理と、カラオケコマンダ２０の制御部３５にて実行され、カラオケコマンダ２０の入力部２１を介して入力される指令またはリモコン端末５０からの情報に対応する制御を実行するコマンダ側処理とからなる。
【００４７】
まず、リモコン端末５０は、電源がオンされると、図３に示すようなゲストユーザ画面ＹＧを表示する。このゲストユーザ画面ＹＧは、記憶処理によってユーザ登録された利用者自身の情報の表示を要求するログインボタンＬＢと、カラオケ楽曲の検索を実行する検索実行画面ＳＧと、予め用意された各種機能を実現するための処理を実行する処理実行ボタン群ＰＢとを有している。なお、検索実行画面ＳＧには、例えば、検索方式ごとにボタンが用意されている。
【００４８】
そして、図２に示すリモコン側処理は、ゲストユーザ画面ＹＧにおいて、ログインボタンＬＢが押下されたことを、入力部５１を介して操作受付部５２が取得すると、起動される。
【００４９】
すると、リモコン側処理では、入力部５１を介して入力されたユーザ情報を操作受付部５２にて取得し、カラオケコマンダ２０へと送信する（Ｓ１１０）。ここでいうユーザ情報には、リモコン端末５０の利用者を識別する利用者識別情報（いわゆるユーザＩＤ）と、記憶処理を実行した際に規定されたパスワードとが含まれる。
【００５０】
そして、コマンダ側処理では、リモコン端末５０からのユーザ情報を受信すると、その受信したユーザ情報を、記憶処理にて記憶された情報（以下、記憶済情報と称す）に照合し、その照合の結果、ユーザ情報が記憶済情報に一致すれば、当該ユーザ情報に対応するリモコン端末５０の利用者を認証するログイン処理を実行する（Ｓ５１０）。なお、記憶済情報とは、図４（Ａ）に示すように、利用者識別情報（いわゆるユーザＩＤ）と、利用者が入力した登録名と、利用者の特徴（例えば、メガネを掛けている等）を表す補助情報とを少なくとも含む。さらに、記憶済情報には、パスワードが含まれている。また、記憶済情報は、カラオケコマンダ２０の記憶部２９に記憶されていても良いし、カラオケコマンダ２０と通信可能に構成されたサーバに記憶されていても良い。
【００５１】
コマンダ側処理のＳ５１０では、ログイン処理の結果、リモコン端末５０の利用者を認証すると、ログインに成功したことを表す情報と共に、その利用者の利用者識別情報に対応し、記憶処理や登録処理によって登録された情報（以下、利用者対応情報群と称す）を、リモコン端末５０に送信する。
【００５２】
コマンダ側処理のＳ５１０にて利用者として認証され、利用者対応情報群をリモコン端末５０が受信すると、リモコン側処理では、利用者対応情報群を記憶部５９に格納すると共に、楽曲検索処理を実行する（Ｓ１２０）。この楽曲検索処理は、入力部５１を介して入力される情報に基づいて、カラオケ楽曲を検索する周知の処理であるため、詳しい説明は省略する。
【００５３】
そして、リモコン側処理では、楽曲検索処理にて検索されたカラオケ楽曲のうちの１つを、カラオケコマンダ２０にてカラオケ演奏するカラオケ楽曲として決定し予約する予約処理を実行する（Ｓ１３０）。具体的に本実施形態のＳ１３０では、楽曲検索処理にて検索された少なくとも１つのカラオケ楽曲に対して、当該楽曲の予約決定を表す予約指令が入力されると、当該カラオケ楽曲に対応する楽曲情報（ここでは、楽曲識別情報を少なくとも含む情報）と、予約指令を入力したときにログインしていた利用者の利用者識別情報とをカラオケコマンダ２０に送信する。
【００５４】
すなわち、このリモコン側処理のＳ１３０にて送信される楽曲情報（楽曲識別情報）と、利用者識別情報とは、図４（Ｂ）に示すように、互いに対応付けられており、これらの情報に加えて、カラオケ演奏におけるキー（音高）を表すキー情報と、カラオケ演奏における設定条件を表すオプション情報とを含んでいても良い。なお、ここでいうオプション情報とは、例えば、ガイドメロディの演奏を禁止（図中、ガイメロＯＦＦ）する情報や、ガイドメロディの演奏の強弱を制御する制御情報などを含むものである。
【００５５】
その後、リモコン側処理では、入力部５１を介して情報（指令）の入力を受け付けたか否かを判定し（Ｓ１４０）、その判定の結果、情報（指令）の入力を受け付けていなければ（Ｓ１４０：ＮＯ）、Ｓ１２０へと戻る。一方、入力部５１を介して情報（指令）の入力を受け付けていれば（Ｓ１４０：ＹＥＳ）、その受け付けた情報（指令）に対応する処理を実行する。
【００５６】
ところで、リモコン側処理のＳ１３０にて送信され、利用者識別情報と対応付けられた楽曲情報（楽曲識別情報）を、カラオケコマンダ２０が受信すると、コマンダ側処理では、その受信した楽曲情報によって表されるカラオケ楽曲のカラオケ演奏の予約を受け付ける予約受付処理を実行する（Ｓ５２０）。この予約受付処理は、周知の処理であるため、ここでの詳しい説明は省略するが、例えば、図４（Ｃ）に示すように、リモコン端末５０から順次送信される利用者識別情報と対応付けられた楽曲情報によって表されるカラオケ楽曲を、その楽曲情報を受信した順序に沿ってカラオケ演奏するように、カラオケ演奏を実行するカラオケ楽曲の順序を表すリストを作成する。
【００５７】
さらに、コマンダ側処理では、予約受付処理にて予約を受け付けたカラオケ楽曲のカラオケ演奏を開始する演奏開始処理を実行する（Ｓ５３０）。続いて、Ｓ５３０にてカラオケ演奏が開始されたカラオケ楽曲について、十八番登録を実行するか否かの選択を受け付ける十八番登録準備処理を実行する（Ｓ５４０）。
【００５８】
そして、コマンダ側処理では、Ｓ５３０にてカラオケ演奏が開始されたカラオケ楽曲について、そのカラオケ演奏を終了する演奏終了処理を実行し（Ｓ５５０）、十八番登録準備処理にて十八番登録を実行する旨が選択されていれば、十八番登録を実行する十八番登録処理を実行する（Ｓ５６０）。
【００５９】
その後、カラオケコマンダ２０は、ユーザ情報や、利用者識別情報と対応付けられた楽曲情報、その他の情報や指令が入力されるまで待機する。
〈十八番登録準備処理について〉
次に、カラオケコマンダ２０にて実行される十八番登録準備処理について説明する。
【００６０】
ここで、図５に示すように、十八番登録準備処理の処理手順を示すフローチャートである。
この十八番登録準備処理は、起動されると、まず、先のＳ５３０にてカラオケ演奏が開始されたカラオケ楽曲について、そのカラオケ演奏を継続しつつ、図６（Ａ）に示すように、表示パネル２１ａに十八番ボタンＲＡを表示し、入力部２１に対して、十八番ボタンＲＡの表示領域をタッチ入力待ち状態とする、十八番ボタンＲＡをタッチパネル上に設定する（Ｓ６１０）。このとき、カラオケコマンダ２０の表示部２８、及び表示パネル２１ａには、図６（Ａ）に示すように、歌詞テロップデータに基づく歌詞なども表示されている。
【００６１】
続いて、カラオケコマンダ２０の入力部２１（十八番ボタンＲＡ表示領域）を介して、十八番登録の準備を行う旨を表す準備指令が入力（「十八番ボタン」をタッチ入力）されたか否かを判定する（Ｓ６２０）。その判定の結果、準備指令が入力されていなければ（Ｓ６２０：ＮＯ）、Ｓ６１０へと戻り、準備指令が入力されると（Ｓ６２０：ＹＥＳ）、Ｓ６３０へと進む。
【００６２】
そのＳ６３０では、動作モードを、十八番登録の準備を実行する十八番登録モードに設定する。このとき、図６（Ｂ）に示すように、表示パネル２１ａには、十八番登録を実行する旨を表す登録指令の入力を受け付ける登録ボタンＲＢが表示される画面に切り替わる。
【００６３】
続いて、先のＳ５３０にてカラオケ演奏が開始されたカラオケ楽曲について、そのカラオケ演奏が終了したか否かを判定する（Ｓ６４０）。その判定の結果、カラオケ演奏が終了していなければ（Ｓ６４０：ＮＯ）、登録指令が入力されたか否かを判定する（Ｓ６５０）。
【００６４】
具体的に、本実施形態のＳ６５０では、登録ボタンＲＢ（「はい」）が押下されたことを操作受付部２２にて取得すると、登録指令が入力されたものと判定し、登録ボタンＲＢが押下されたことを操作受付部２２にて取得していなければ、登録指令が未入力であるものと判定し、入力を待つ。
【００６５】
このようなＳ６５０での判定の結果、登録指令が「いいえ」が入力されたと判定したときには（Ｓ６５０：「いいえ」）、Ｓ６１０へと戻り、再度、十八番ボタンＲＡのタッチ入力待ちとなる。先のＳ５３０にてカラオケ演奏が開始されたカラオケ楽曲について、そのカラオケ演奏が終了するまで、Ｓ６１０〜Ｓ６４０を繰り返す。
【００６６】
一方、Ｓ６５０での判定の結果、登録指令が入力されていれば（Ｓ６５０：「はい」）、カラオケコマンダ２０の制御部３５に設けられたＲＡＭ３７に、十八番登録準備情報を格納する（Ｓ６６０）。このＳ６６０にて格納される十八番登録準備情報は、図７（Ａ）に示すように、先のＳ５３０にてカラオケ演奏が開始されたカラオケ楽曲に対応する楽曲識別情報と、そのカラオケ楽曲が予約されたときに当該楽曲識別情報に対応付けられていた利用者識別情報とを含む情報である。
【００６７】
続いて、十八番登録通知情報を設定する（Ｓ６７０）。このＳ６７０にて設定される十八番登録通知情報は、図７（Ｂ）に示すように、十八番登録を実行することを意味するフラグ（図７（Ｂ）中、十八番登録通知フラグ）であり、図７（Ｂ）における「１」は、十八番登録通知フラグがたてられたことを意味する。なお、本実施形態のＳ６７０では、十八番登録通知情報は、Ｓ６６０にて記憶された利用者識別情報と対応付けて設定される。
【００６８】
その後、本十八番登録準備処理を終了して、コマンダ側処理のＳ５５０へと移行する。なお、Ｓ６４０での判定の結果、カラオケ演奏が終了している場合（Ｓ６４０：ＹＥＳ）にも、本十八番登録準備処理を終了して、コマンダ側処理のＳ５５０へと移行する。
〈十八番登録処理について〉
次に、カラオケコマンダ２０にて実行される十八番登録処理について説明する。
【００６９】
ここで、図８に示すように、十八番登録処理の処理手順を示すフローチャートである。
この十八番登録処理は、起動されると、まず、十八番登録準備情報が格納されているか否かを判定する（Ｓ７１０）。このＳ７１０での判定の結果、十八番登録準備情報が格納されていなければ（Ｓ７１０：ＮＯ）、十八番登録を実行することなく、本十八番登録処理を終了して、コマンダ側処理へと戻る。
【００７０】
一方、Ｓ７１０での判定の結果、十八番登録準備情報が格納されていれば（Ｓ７１０：ＹＥＳ）、先のＳ５５０を実行した時点で設定されていたキー情報を取得する（Ｓ７２０）。そして、Ｓ７２０で取得したキー情報を、先の十八番登録準備処理にてＲＡＭ３７に格納された十八番登録準備情報と併せて登録する（Ｓ７３０）。
【００７１】
すなわち、Ｓ７３０では、図７（Ｃ）に示すように、楽曲識別情報と、当該楽曲識別情報に対応付けられていた利用者識別情報と、当該楽曲識別情報によって表されるカラオケ楽曲のカラオケ演奏が終了した時点で設定されていたキー情報と、当該楽曲識別情報によって表されるカラオケ楽曲のカラオケ演奏の際に設定されていたオプション情報とを対応付けて登録することを、十八番登録として実行する。
【００７２】
さらに、先のＳ６７０にて設定された十八番登録通知情報を、設定された状態に維持する（Ｓ７４０）。すなわち、十八番登録通知情報は、Ｓ７３０にて登録された利用者識別情報と対応付けられた上で、設定されている。
【００７３】
その後、本十八番登録処理を終了して、コマンダ側処理へと戻る。
〈登録確認処理について〉
次に、カラオケシステムにて実行する処理のうち、登録確認処理について説明する。
【００７４】
ここで、図９は、登録確認処理の処理手順を示したフローチャートである。
図９に示すように、登録確認処理は、リモコン端末５０の制御部６０とカラオケコマンダ２０の制御部３５とが協調して実行する処理である。この登録確認処理は、リモコン端末５０の制御部６５にて実行されるリモコン側確認処理と、カラオケコマンダ２０の制御部３５にて実行され、カラオケコマンダ２０の入力部２１を介して入力される指令またはリモコン端末５０からの情報に対応する制御を実行するコマンダ側確認処理とからなる。
【００７５】
このうち、リモコン側確認処理は、カラオケシステム１にログインしているリモコン端末５０の利用者が変更されると、起動される。
このログインしているリモコン端末５０の利用者の変更は、以下の手法によって実行される。
【００７６】
例えば、図１０（Ａ）に示すように、ログインしている利用者に対応する利用者対応情報群を閲覧可能な画像（以下、マイルーム画面）ＬＧが、リモコン端末５０の表示部５７に表示されている状況下において、当該画像ＬＧに設けられた利用者切替ボタンＣＢが押下されたことを、操作受付部５２にて取得すると、図１０（Ｂ）に示すような、ログイン処理にてログイン結果が通知された、すなわちログインしている各利用者の一覧画面ＣＡを表示する。そして、ログイン中の各利用者の一覧画面ＣＡの中から、1人の利用者を選択（タッチパネルであれば、利用者名をタッチ入力）すると、選択された一人の利用者のマイルーム画面ＬＧへと、ログイン中の利用者のマイルーム画面が切り替わる、ユーザ切替処理を実行する。
【００７７】
このとき、ユーザ切替処理においては、切り替わった後の利用者に対応する利用者識別情報、及び新たに十八番登録された楽曲に関する情報の提供を要求する登録確認要求を、カラオケコマンダ２０に送信する処理をも実行する（Ｓ２１０）。
【００７８】
一方、利用者識別情報と対応付けられた登録確認要求（特許請求の範囲における特定要求に相当）を、リモコン端末５０から受信したカラオケコマンダ２０は、コマンダ側確認処理を起動し、コマンダ側確認処理において、受信した利用者識別情報と対応付けられた十八番登録通知情報が設定されているか否かを確認する（Ｓ８１０）。続いて、コマンダ側確認処理では、Ｓ８１０にて確認した結果（以下、登録確認結果）を、リモコン端末５０に送信（出力）する（Ｓ８２０）。
【００７９】
その後、コマンダ側確認処理では、Ｓ８１０での確認の結果、リモコン端末５０から送信された利用者識別情報と対応付けられた十八番登録通知情報が設定されていれば（Ｓ８３０：ＹＥＳ）、その十八番登録通知情報（即ち、フラグ）を解除する（Ｓ８４０）。
【００８０】
そして、カラオケコマンダ２０は、リモコン端末５０から指令またはカラオケコマンダ２０の入力部２１を介して新たな情報（指令）が入力されるまで待機する。なお、リモコン端末５０から送信された利用者識別情報と対応付けられた十八番登録通知情報が設定されていなければ（Ｓ８３０：ＮＯ）、十八番登録通知情報が解除された状態を維持したまま、リモコン端末５０から指令またはカラオケコマンダ２０の入力部２１を介して情報が入力されるまで、待機する。
【００８１】
一方、リモコン端末５０が、カラオケコマンダ２０からの登録確認結果を受信すると、リモコン側確認処理では、その登録確認結果に基づいて、カラオケコマンダ２０において十八番登録通知情報が設定されているか否かを判定し（Ｓ２２０）、そのＳ２２０での判定の結果、十八番登録通知情報が設定されていれば（Ｓ２２０：ＹＥＳ）、新たに十八番登録されたカラオケ楽曲が存在する旨を、リモコン端末５０の表示部５７に表示する十八番登録通知処理を実行する（Ｓ２３０）。このＳ２３０では、新たに十八番登録されたカラオケ楽曲に関する情報（例えば、カラオケ楽曲の名前など）を、リモコン端末５０の表示部５７に表示しても良い。
【００８２】
その後、リモコン側確認処理を終了して、リモコン側処理のＳ１２０へと移行する。なお、リモコン側確認処理では、Ｓ２２０での判定の結果、十八番登録通知情報が設定されていない場合（Ｓ２２０：ＮＯ）には、十八番登録通知処理を実行することなく、リモコン側処理のＳ１２０へと移行する。ただし、リモコン端末５０の入力部５１を介して入力された新たな指令が入力されると、新たな指令に対応する処理を起動する。
［実施形態の効果］
以上説明したように、本実施形態のカラオケシステム１によれば、カラオケコマンダ２０に設けられた入力部２１を介して登録指令を入力することで、十八番登録を実行できる。
【００８３】
このため、カラオケシステム１によれば、１つのカラオケシステム１を複数人で利用し、歌唱中の利用者以外の利用者によってリモコン端末５０が使用されていても、十八番登録を実行できる。換言すれば、カラオケシステム１によれば、カラオケ楽曲の演奏中（ひいては、カラオケ楽曲の歌唱中）であっても、必要なタイミングで十八番登録を実行でき、十八番登録すべきカラオケ楽曲について十八番登録を未実施のまま放置されることを低減できる。
【００８４】
特に、カラオケシステム１は、ナイト市場に設置されるため、設置店舗の従業員が登録指令を入力することで、歌唱中の利用者に手間をかけさせることなく十八番登録を実現できる。
【００８５】
また、カラオケシステム１では、十八番登録において、楽曲情報及び利用者識別情報に、キー情報やオプション情報を加えた情報を登録している。
したがって、十八番登録されたカラオケ楽曲を次にカラオケ演奏するときに、そのカラオケ楽曲と対応付けられたキー情報やオプション情報に基づいて、カラオケ演奏時の演奏条件を設定すれば、カラオケシステム１の利用者は、十八番登録したカラオケ楽曲を次に歌唱するときに、歌唱しやすい演奏条件を設定し直す必要がない。すなわち、カラオケシステム１によれば、カラオケシステム１の利用者にとっての利便性を向上させることができる。
【００８６】
特に、カラオケ楽曲のカラオケ演奏が終了したときに設定されているキーは、当該カラオケ楽曲を歌唱した利用者にとって歌唱しやすいキーに設定されている可能性が高い。このため、カラオケシステム１によれば、カラオケシステムの利用者にとってより確実に歌唱しやすいキーを、楽曲情報などと共に十八番登録することができる。
【００８７】
また、カラオケシステム１では、リモコン端末５０の利用者による操作入力に応じてマイルーム画面が変更されるごとに、その利用者に対応付けられ、かつ新たに十八番登録されたカラオケ楽曲の有無を確認し、該当するカラオケ楽曲が存在すれば、その旨を表示している。この結果、リモコン端末５０の画面を、利用者のマイルーム画面へ変更したときに、その利用者は、新たに十八番登録されたカラオケ楽曲の有無を認識できる。
［その他の実施形態］
以上、本発明の実施形態について説明したが、本発明は上記実施形態に限定されるものではなく、本発明の要旨を逸脱しない範囲において、様々な態様にて実施することが可能である。
【００８８】
例えば、上記実施形態の確認処理では、リモコン端末５０から登録確認要求を受信したカラオケコマンダ２０は、新たに十八番登録されたカラオケ楽曲の有無を確認結果として、リモコン端末５０に返答していたが、確認処理において、カラオケコマンダ２０がリモコン端末５０に返答する情報は、これに限るものではない。すなわち、カラオケコマンダ２０がリモコン端末５０に返答する情報は、登録確認要求と共に受信した利用者識別情報と対応付けて、十八番登録されている全てのカラオケ楽曲に関する情報（例えば、楽曲情報を含む情報（特許請求の範囲における十八番情報））であっても良い。
【００８９】
この場合、リモコン側確認処理のＳ２３０では、十八番登録されている全てのカラオケ楽曲に関する情報を、表示部５７に表示すれば良い。
また、上記実施形態におけるリモコン側確認処理のＳ２３０では、表示部５７に表示することで、情報を報知していたが、情報を報知する態様は、表示に限るものではない。例えば、音声による報知を実行しても良い。ただし、この場合、リモコン端末５０には、音を出力するスピーカなどが設けられている必要がある。
【００９０】
また、上記実施形態における十八番登録準備処理では、登録指令の入力の受付を、十八番ボタンＲＡの表示領域とした。
登録指令の入力の受け付ける領域として、他に、以下の領域とすることも考えられる。
【００９１】
一般的な酒場市場では、カラオケコマンダ２０が、主に従業員によって操作されることを考慮し、演奏中の十八番登録準備処理開始後に、Ｓ６１０において、表示部２１ａに十八番ボタンを表示せず、タッチパネルの表示領域内の任意の位置にタッチ入力することで、十八番登録準備から、十八番登録モードに移行してもよい。
【００９２】
こうすることで、接客中の従業員は、お客から目を離してタッチパネル画面上の十八番ボタンを探す手間が無くなる。
また、上記タイミングで十八番ボタンを表示していなければ、図６（Ａ）において、表示部２１ａに表示されている歌詞テロップの文字と「十八番」文字とを区別する必要もない。よって、従業員は、偶然に表示された歌詞テロップ文字「十八番」と、十八番ボタンの文字「十八番」の位置を読み間違える恐れがない。
【００９３】
更に、準備指令が入力されてから（Ｓ６２０：ＹＥＳ）から登録指令が入力される（Ｓ６５０：「はい」）までの間は、歌詞テロップは登録指令画面に隠れているため、（図６（Ｂ）参照）、従業員は、依然としてボタンの文字と歌詞テロップとを間違う恐れがない。
［実施形態と特許請求の範囲との対応関係］
最後に、上記実施形態の記載と、特許請求の範囲の記載との関係を説明する。
【００９４】
上記実施形態のリモコン側処理におけるＳ１３０が、特許請求の範囲の記載における楽曲情報送信手段に相当する。
さらに、カラオケコマンダ２０の操作受付部２２が、特許請求の範囲の記載における操作受付部に相当し、コマンダ側処理のＳ５２０が、特許請求の範囲の記載における予約受付手段に相当し、コマンダ側処理のＳ５４０，Ｓ５６０が、特許請求の範囲の記載における十八番登録手段に相当する。そして、上記実施形態の十八番登録処理におけるＳ７２０が、特許請求の範囲の記載におけるキー情報取得手段に相当する。
【００９５】
また、上記実施形態のリモコン側確認処理におけるＳ２１０が、特許請求の範囲の記載における要求送信手段に相当し、リモコン側確認処理のＳ２２０，Ｓ２３０が、特許請求の範囲の記載における十八番報知手段に相当する。
【００９６】
さらに、上記実施形態のコマンダ側確認処理におけるＳ８１０，Ｓ８２０が、特許請求の範囲の記載における十八番情報送信手段に相当し、このうち、Ｓ８１０が、新規登録確認手段に、Ｓ８２０が、結果送信手段に相当する。
【００９７】
なお、上記実施形態におけるカラオケ演奏処理を実行すること得られる機能が、特許請求の範囲における楽曲演奏部に相当する。
【符号の説明】
【００９８】
１…カラオケシステム  ２０…カラオケコマンダ  ２１…入力部  ２２…操作受付部  ２３…通信部  ２４…画像出力部  ２５…ビデオＲＡＭ  ２６…映像再生部  ２７…映像制御部  ２８…表示部  ２９…記憶部  ３０…音声入出力部  ３１…音源モジュール  ３２…スピーカ  ３３…マイクロホン  ３４…音声制御部  ３５…制御部  ３６，６１…ＲＯＭ  ３７，６２…ＲＡＭ  ３８，６３…ＣＰＵ  ５０…リモコン端末  ５１…入力部  ５２…操作受付部  ５３…通信部  ５４…画像出力部  ５５…ビデオＲＡＭ  ５６…映像再生部  ５７…表示部  ５９…記憶部  ６０…制御部
【図１】
0005546519.tif 000002
【図２】
0005546519.tif 000003
【図３】
0005546519.tif 000004
【図４】
0005546519.tif 000005
【図５】
0005546519.tif 000006
【図６】
0005546519.tif 000007
【図７】
0005546519.tif 000008
【図８】
0005546519.tif 000009
【図９】
0005546519.tif 000010
【図１０】
0005546519.tif 000011